(57)【要約】【課題】  予め定めた信号レベルの位置においてのみ回動つまみ押圧することによる電源のオン・オフを可能とすることができる電子機器を提供する。【解決手段】  本体と、パネルと、電力の供給をオン・オフするスイッチおよびボリウム部と、切欠きを備える円盤型を成しシャフトに挿入される孔を有する円盤部と凹部を備え筒型を成す外周部と弾性体から成り円盤部と外周部を固定するアームを備える円筒部と、シャフトに固着する固着部と、凹部及び切欠きと嵌合する凸部を有しシャフトに固定され回動する回動つまみ部と、貫通孔に挿入し軸方向にスライドする突起を備えるスライドピンと、スライドピンを押圧する押圧手段とを備え、スライドピンは、突起が円盤部の表面に当接する場合突起の他端が回動つまみ部の表面から突出し、突起が当接しない場合突出しない長さであり、回動つまみは、シャフトに固定される部分が弾性体で形成されている。【選択図】      図５
2005276723.tif 000002
【特許請求の範囲】
【請求項１】
箱形を成す本体と、前記本体の一面に固定されるパネルと、前記パネルの内側に設置され回動可能なシャフトを備え当該シャフトの回動により内部の可変抵抗器の抵抗値を変化させ当該シャフトが軸方向へ移動することにより電力の供給をオン・オフするスイッチおよびボリウム部と、外周に切欠きを備える円盤型を成し中央に前記シャフトに挿入される孔を有する円盤部と前記円盤部の切欠きと相対する位置に凹部を備え筒型を成す外周部と弾性体から成り前記円盤部の外壁と前記外周部の内壁を固定するアームを備える円筒部と、前記スイッチおよびボリウム部と前記円筒部との間に設けられ前記シャフトに固着し外径が前記外周部の内径より小さい固着部と、前記円筒部と対向する面に前記凹部及び前記切欠きと嵌合する凸部を有し当該凸部の略中央を貫通する貫通孔を備え前記シャフトに固定され回動する回動つまみ部と、前記貫通孔に挿入し軸方向にスライドし前記円盤部と対向する一端に傾斜部を形成する突起を備えるスライドピンと、前記円盤部と対向する方向へ前記スライドピンを押圧する押圧手段とを備え、
前記スライドピンは、前記突起が前記円盤部の表面に当接する場合前記突起の他端が前記回動つまみ部の表面から突出し、前記突起が前記円筒部の表面に当接しない場合前記突起の他端が前記回動つまみ部の表面から突出しない長さであり、
前記回動つまみは、前記シャフトに固定される部分が弾性体で形成されていることを特徴とする電子機器。
【請求項２】
請求項１記載の電子機器において、
前記押圧手段は、圧縮ばねであることを特徴とする電子機器。
【発明の詳細な説明】
【技術分野】
【０００１】
本発明は、オーディオ信号を増幅するオーディオ信号増幅装置または光ディスクを再生する再生装置等の電子機器に関する。
【背景技術】
【０００２】
従来の電子機器として、オーディオ信号増幅装置を例に挙げ説明する。
従来のオーディオ信号増幅装置は、箱型を成し、内部に入力部、スイッチおよびボリウム部、出力部、増幅部及び電源部を備える。オーディオ信号増幅装置は、再生装置及びスピーカと電気的に接続されている。電源部は、入力部、スイッチおよびボリウム部、出力部及び増幅部へ電力を供給する。
【０００３】
再生装置は、光ディスクに記録されているオーディオデータを再生し、オーディオ信号を出力する。オーディオ信号増幅装置の入力部は、再生装置から出力されたオーディオ信号を入力し、増幅部へ出力する。増幅部は、入力部から出力されたオーディオ信号を増幅し、スイッチおよびボリウム部へ出力する。
【０００４】
スイッチおよびボリウム部は、後述する回動つまみ部を回動することにより、増幅部から出力されたオーディオ信号の信号レベルを増減させ、出力部へ出力する。出力部は、オーディオ信号をスピーカへ出力する（例えば、特許文献１参照。）。
【０００５】
スイッチおよびボリウム部は、後述する回動つまみ部を押圧することにより、オーディオ信号増幅装置内部の入力部、出力部及び増幅部への電源部からの電力の供給をオン・オフする。
【０００６】
以上の構成により、オーディオ信号増幅装置は、再生装置から出力されたオーディオ信号を増幅し、スピーカへ出力する。
【０００７】
図７は、従来のオーディオ信号増幅装置の回動つまみとスイッチおよびボリウム部との組み付けを示す図で、図７（ａ）は正面図、図７（ｂ）は断面図である。パネル５は図示しないオーディオ信号増幅装置本体の前面に固定されている。
【０００８】
スイッチおよびボリウム部４は、パネル５の裏面に固定されている。スイッチおよびボリウム部４は、断面がＤ型の回動可能なシャフト４０１を備える。シャフト４０１は、パネル５に設けた孔５０１からパネル５の表面に突出している。
【０００９】
スイッチおよびボリウム部４は、シャフト４０１の回動によりスイッチおよびボリウム部４の可変抵抗器の抵抗値が変化し、増幅部から出力されるオーディオ信号の信号レベルを増減する。
【００１０】
スイッチおよびボリウム部４のシャフト４０１は、図７（ｂ）に示す矢印Ａ方向へ押圧されることによって矢印Ａ方向へ移動し、押圧が解除されると押圧前の位置へ移動する。スイッチおよびボリウム部４は、シャフト４０１が押圧され矢印Ａ方向に移動したことを検知し、オン・オフ指示信号を出力する。電源部は、スイッチおよびボリウム部４から信号が出力される毎に、入力部、出力部及び増幅部への電力の供給をオン・オフする。
【００１１】
回動つまみ部３００は、円筒形を成し、略中心に貫通しない断面がＤ型のシャフト圧入孔３０１を備える。回動つまみ部３００のシャフト圧入孔３０１の内径d301は、スイッチおよびボリウム部４のシャフト４０１の外径d401よりも小さい。
【００１２】
回動つまみ部３００のシャフト圧入孔３０１へスイッチおよびボリウム部４のシャフト４０１を圧入することにより、回動つまみ部３００はシャフト４０１に固定される。したがって、回動つまみ部３００を回動することによりシャフト４０１が回動し、増幅部から出力されたオーディオ信号の信号レベルが増減する。
【００１３】
以上のように、従来のオーディオ信号増幅装置は、回動つまみ部３００を回動することにより増幅部から出力されたオーディオ信号の信号レベルを増減し、回動つまみ部３００を後方へ押圧することによって入力部、出力部及び増幅部への電力の供給をオン・オフすることができる。
【００１４】
【特許文献１】特開平１０−１４９７４６号公報
【発明の開示】
【発明が解決しようとする課題】
【００１５】
従来のオーディオ信号増幅装置は、電源がオフの状態のときに、誤って回動つまみ３００を回動してしまうことがある。例えば、増幅部から出力させるオーディオ信号の増幅レベルが最大となる角度に回動つまみ３００を回転させた状態で、回動つまみ３００を押圧し、電源部１１の電源の供給をオンすると、オーディオ信号が最大の信号レベルで出力部から出力されてしまい、スピーカを破損する虞がある。
【００１６】
本発明は、回動つまみを回動することにより信号レベルを変化させ、当該回動つまみを押圧することによって電源をオン・オフする電子機器において、スピーカを破損する虞のない予め定めた信号レベルの位置においてのみ当該回動つまみ押圧することによる電源のオン・オフを可能とすることができる電子機器を提供することを目的とする。
【課題を解決するための手段】
【００１７】
本願の請求項１記載の発明は、電子機器において、箱形を成す本体と、前記本体の一面に固定されるパネルと、前記パネルの内側に設置され回動可能なシャフトを備え当該シャフトの回動により内部の可変抵抗器の抵抗値を変化させ当該シャフトが軸方向へ移動することにより電力の供給をオン・オフするスイッチおよびボリウム部と、外周に切欠きを備える円盤型を成し中央に前記シャフトに挿入される孔を有する円盤部と前記円盤部の切欠きと相対する位置に凹部を備え筒型を成す外周部と弾性体から成り前記円盤部の外壁と前記外周部の内壁を固定するアームを備える円筒部と、前記スイッチおよびボリウム部と前記円筒部との間に設けられ前記シャフトに固着し外径が前記外周部の内径より小さい固着部と、前記円筒部と対向する面に前記凹部及び前記切欠きと嵌合する凸部を有し当該凸部の略中央を貫通する貫通孔を備え前記シャフトに固定され回動する回動つまみ部と、前記貫通孔に挿入し軸方向にスライドし前記円盤部と対向する一端に傾斜部を形成する突起を備えるスライドピンと、前記円盤部と対向する方向へ前記スライドピンを押圧する押圧手段とを備え、前記スライドピンは、前記突起が前記円盤部の表面に当接する場合前記突起の他端が前記回動つまみ部の表面から突出し、前記突起が前記円筒部の表面に当接しない場合前記突起の他端が前記回動つまみ部の表面から突出しない長さであり、前記回動つまみは、前記シャフトに固定される部分が弾性体で形成されていることを特徴とする。
【００１８】
また、本願の請求項２記載の発明は、請求項１記載の電子機器において、前記押圧手段は、圧縮ばねであることを特徴とする。
【発明の効果】
【００１９】
本発明の電子機器によれば、回動つまみを回動することにより信号レベルを変化させ、当該回動つまみを押圧することによって電源をオン・オフする電子機器において、スピーカを破損する虞のない予め定めた信号レベルの位置においてのみ当該回動つまみ押圧することによる電源のオン・オフを可能とすることができる電子機器を提供することができる。
【００２０】
また、本発明の電子機器によれば、回動つまみを回動することにより信号レベルを変化させ、当該回動つまみを押圧することによって電源をオン・オフする電子機器において、電源をオンしている場合に緊急に電源をオフにする必要があるとき、直ちに電源をオフすることができる電子機器を提供することができる電子機器を提供することができる。
【発明を実施するための最良の形態】
【００２１】
本発明の実施の形態を図面を参照して説明する。なお、従来技術で示した構成要素と同一の部分については同符号を用いる。
【００２２】
図１は、本発明の電子機器の一実施例の構成を示すブロック図である。
本実施例においては、電子機器としてオーディオ信号増幅装置を例に挙げ説明する。
【００２３】
オーディオ信号増幅装置６は、入力部２、スイッチおよびボリウム部４、出力部７、増幅部８及び電源部１１を備える。オーディオ信号増幅装置６は、再生装置１０及びスピーカ９と接続されている。電源部１１は、入力部２、スイッチおよびボリウム部４、出力部７及び増幅部８へ電力を供給する。
【００２４】
再生装置１０は、光ディスクに記録されているオーディオデータを再生し、オーディオ信号を出力する。入力部２は、再生装置１０から出力されたオーディオ信号を入力し、増幅部８へ出力する。増幅部８は、入力部２から出力されたオーディオ信号を増幅し、スイッチおよびボリウム部４へ出力する。
【００２５】
スイッチおよびボリウム部４は、後述する回動つまみ部を回動することにより、増幅部８から出力されたオーディオ信号の信号レベルを増減させ、出力部７へ出力する。出力部７は、オーディオ信号をスピーカ９へ出力する。
【００２６】
スイッチおよびボリウム部４は、後述する回動つまみ部が押圧されることにより、電源部１１へオン・オフ指示信号を出力する。電源部１１は、スイッチおよびボリウム部４からオン・オフ指示信号が出力される毎に、入力部２、出力部７及び増幅部８への電力の供給をオン・オフする。
【００２７】
以上の構成により、オーディオ信号増幅装置６は、再生装置１０から出力されたオーディオ信号を増幅し、スピーカ９へ出力する。
【００２８】
図２は、本発明の一実施例のオーディオ信号増幅装置の概略構成を示す斜視図である。
オーディオ信号増幅装置６は、回動つまみ部３、パネル５、円筒部１２、固着部１５、本体６０１、図示しないスライドピン、ストッパー部及び圧縮ばねを備える。パネル５は、オーディオ信号増幅装置６の本体６０１の前面に固定されている。スイッチおよびボリウム部４は、パネル５の裏面に固定されている。
【００２９】
スイッチおよびボリウム部４は、断面がＤ型の回動可能なシャフト４０１を備える。シャフト４０１は、パネル５に設けた孔５０１からパネル５の表面に突出している。
【００３０】
スイッチおよびボリウム部４は、シャフト４０１の回動によりスイッチおよびボリウム部４の可変抵抗器の抵抗値が変化し、増幅部８から出力されるオーディオ信号の信号レベルを増減する。
【００３１】
スイッチおよびボリウム部４のシャフト４０１は、押圧されることによって軸方向へ移動し、押圧が解除されると押圧前の位置へ移動する。スイッチおよびボリウム部４は、シャフト４０１が押圧され軸方向に移動したことを検知し、オン・オフ指示信号を出力する。
【００３２】
固着部１５は、円柱型を成し、略中心に断面がＤ型で貫通する孔１５１を備える。固着部１５は、スイッチおよびボリウム部４のシャフト４０１が孔１５１へ挿入され、接着剤によりシャフト４０１に固着される。
【００３３】
円筒部１２は、円筒型を成し、略中心に断面がＤ型で貫通する孔１２４を備える。円筒部１２は、スイッチおよびボリウム部４のシャフト４０１が孔１２４へ挿入され、スイッチおよびボリウム部４に固定される。
【００３４】
回動つまみ部３は、円筒型を成し、略中心に断面がＤ型で貫通しないシャフト圧入孔３０１を備える。回動つまみ部３は、スイッチおよびボリウム部４のシャフト４０１がシャフト圧入孔３０１へ圧入されることにより、シャフト４０１に固定される。
【００３５】
回動つまみ部３を回動することにより、シャフト４０１へ回動力が伝達され、シャフト４０１は回動し、スイッチおよびボリウム部４の抵抗値が変化する。また、回動つまみ部３をシャフト４０１の軸方向へ押圧することにより、シャフト４０１が軸方向へ移動し、入力部２、出力部７及び増幅部８への電力の供給をオン・オフする。
【００３６】
図３は、本発明の一実施例のオーディオ信号増幅装置の回動つまみ部の構成を示す図であり、図３（ａ）は回動つまみ部の背面図、図３（ｂ）は図３（ａ）のＢ−Ｂ断面図である。
【００３７】
回動つまみ部３は、円柱形を成し、ノブ部３０６及び弾性体部３０８を備える。
ノブ部３０６は略中心に凹部３０７を備える。弾性体部３０８は、ゴム材、合成樹脂材等から成り、外径が凹部３０７と略同一な円柱形で、中心に断面がＤ型で貫通しないシャフト圧入孔３０１を備える。弾性体部３０８は、凹部３０７に挿入され、接着剤によってノブ部３０６へ固定される。
【００３８】
回動つまみ部３は、後方に突出し円筒形を成す凸部３０５を備える。凸部３０５の略中央には、断面が円形の凹部３０４を備え、当該凹部３０４の略中央には、回動つまみ部３の前面に貫通する貫通孔３０３を備える。
【００３９】
スライドピン１は、略円柱形を形成する。スライドピン１の外径は、貫通孔３０３の内径より小さい。スライドピン１は、回動つまみ部３の貫通孔３０３に挿入され、貫通孔３０３の軸方向へ自在にスライドする。スライドピン１は、後端に外周方向へ突出する凸部１０１を備え、凸部１０１の背面には、突起１０２を備える。突起１０２は、外周が円錐形の傾斜を成す傾斜部１０３を備える。凸部１０１の外径は、凹部３０４の内径より小さい。スライドピン１の凸部１０１の前面から突起１０２の先端までの距離は凹部３０４の奥行きより小さい。
圧縮ばね１４は、凹部３０４の内部に設置され、凸部１０１を矢印Ａ方向へ押圧する。スライドピン１は、凸部１０１が圧縮ばね１４によって押圧されることにより、矢印Ａ方向へ押圧される。
【００４０】
ストッパー部１３は、凸部３０５の外径と略同一の外径を有する円盤形を成し、凸部３０５の背面に固定される。ストッパー部１３は、凸部１０１の外径より小さい内径である孔１３１を備え、スライドピン１が圧縮ばね１４の押圧力により矢印Ａ方向へ飛び出さないよう凸部１０１を保持する。突起１０２は、孔１３１から矢印Ａ方向へ突出している。
【００４１】
スライドピン１は、凸部１０１が圧縮ばね１４により、矢印Ａ方向へ押圧され孔１３１から突出した状態の場合、前端が回動つまみ部３の前面と略同一となる長さとする。
【００４２】
図４は、本発明の一実施例のオーディオ信号増幅装置の円筒部の構成を示す図であり、図４（ａ）は正面図、図４（ｂ）は図４（ａ）のＣ−Ｃ断面図である。
円筒部１２は、円盤部１２３、複数のアーム１２６及び外周部１２７を備える。円盤部１２３は、略中央に孔１２４を備え、外周に切欠き部１２５を備える。外周部１２７は、円筒形を成し、切欠き部１２５に相対する位置に凹部１２２を備える。アーム１２６は、ゴム材、合成樹脂材等から成り、一端が円盤部１２３の外周に固着し、他端が外周部１２７の内壁に固着する。円盤部１２３は、アーム１２６を介して外周部１２７に支持される。
【００４３】
図５は、本発明の一実施例の回動つまみ部、スイッチおよびボリウム部、円筒部並びに固着部との組み付けを示す模式図で、図５（ａ）は正面図、図５（ｂ）は図５（ａ）のＤ−Ｄ断面図、図５（ｃ）は図５（ａ）及び図５（ｂ）の状態のときに回動つまみ部３を矢印Ａ方向へ押圧した状態を示す図である。
【００４４】
固着部１５は、シャフト４０１が押圧されることによってシャフト４０１の軸方向へ移動し、オン・オフ指示信号が出力されたとき、固着部１５の背面がスイッチおよびボリウム部４の前面に接する位置に配設されている。固着部１５の外径は、外周部１２７の内径より小さく、また、孔１２４の内径より大きい。回動つまみ部３が押圧されていないとき、円盤部１２３は、背面が固着部１５の前面に接した位置となるように配設されている。回動つまみ部３の凸部３０５及びストッパー部１３は、スイッチおよびボリウム部４のシャフト４０１を中心に円筒部１２の凹部１２２及び切欠き部１２５と同心円上となる位置に配置されている。回動つまみ部３の凸部３０５及びストッパー部１３の外径は、円筒部１２の凹部１２２及び切欠き部１２５の側壁間の長さよりも小さい。円筒部１２の外周部１２７は、回動つまみ部３が押圧されていないとき、前面が回動つまみ部３のストッパー部１３の背面と近接する位置となるようにスイッチおよびボリウム部４に固定されている。
【００４５】
回動つまみ部３は、シャフト４０１を中心に回動し、回動つまみ部３が回動することにより、シャフト４０１は回動し、スイッチおよびボリウム部４の抵抗値が変化する。図５（ａ）及び図５（ｂ）に示すように、回動つまみ部３の凸部３０５が円筒部１２の凹部１２２及び切欠き部１２５と対向する位置のとき、使用者は、回動つまみ部３の前面からスライドピン１が突出していないことを認識することができる。
【００４６】
このとき、図５（ｃ）に示すように、回動つまみ部３を矢印Ａ方向へ押圧すると、凸部３０５及びストッパー部１３が凹部１２２及び切欠き部１２５に嵌合し、回動つまみ部３は矢印Ａ方向へ移動し、回動つまみ部３と同様にシャフト４０１も矢印Ａ方向へ移動する。
【００４７】
図６は、図５に示す状態から回動つまみ部を回動し、凸部が円筒部の凹部及び切欠き部と対向しない位置とした状態を示す図で、図６（ａ）は正面図、図６（ｂ）は図６（ａ）のＤ−Ｄ断面図、図６（ｃ）は図６（ａ）及び図６（ｂ）の状態のときにスライドピン１を矢印Ｃ方向へ押圧した状態を示す図である。
【００４８】
回動つまみ部３の凸部３０５及びストッパー部１３が円筒部１２の凹部１２２及び切欠き部１２５と対向した位置から回動つまみ部３を回動すると、孔１３１から後方へ突出したスライドピン１の傾斜部１０３が切欠き部１２５の側壁の前端と当接する。この状態から更に回動つまみ部３を回動すると、スライドピン１の傾斜部１０３が切欠き部１２５の側壁の前端を摺動し、図６（ｂ）に示すように、スライドピン１は、円盤部１２３の前面と当接する位置まで矢印Ｅ方向へスライドする。このとき、スライドピン１の前端は、回動つまみ部３の前面から突出する。
【００４９】
図６（ａ）及び図６（ｂ）に示すように、回動つまみ部３の凸部３０５が円筒部１２の凹部１２２及び切欠き部１２５と対向しない位置のとき、使用者は、回動つまみ部３の前面からスライドピン１が突出していることを認識することができる。また、このとき、回動つまみ部３を矢印Ａ方向へ押圧すると、ストッパー部１３が外周部１２７の前面に当接する。よって、回動つまみ部３を矢印Ａ方向へ押圧しても、シャフト４０１は矢印Ａ方向へ移動しない。
【００５０】
図６（ａ）及び図６（ｂ）に示すように、回動つまみ部３の凸部３０５が凹部１２２及び切欠き部１２５と対向しない位置のとき、スライドピン１の突起１０２は、円盤部１２３の前面に当接した状態となる。このとき、図６（ｃ）に示すように、スライドピン１を矢印Ｃ方向へ押圧すると、突起１０２に当接した円盤部１２３は、矢印Ｃ方向へ移動しようとする。アーム１２６は、円盤部１２３が矢印Ｃ方向へ移動しようとする力が加わると弾性により変形する。円盤部１２３は、アーム１２６の弾性変形により、矢印Ｃ方向へスライドする。固着部１５は、円盤部１２３が当接し、更に矢印Ｃ方向へスライドしようとする力により、シャフト４０１を矢印Ｃ方向へ押圧する。シャフト４０１と固着した弾性体部３０８は、シャフト４０１が矢印Ｃ方向へ移動しようとする力が加わると弾性により変形する。よって、図６（ｃ）に示すように、スライドピン１を矢印Ｃ方向へ押圧すると、シャフト４０１は矢印Ｃ方向へ移動する。
【００５１】
以上の構成により、本実施例のオーディオ信号増幅装置６の回動つまみ部３を回動させ、凸部３０５が円筒部１２の凹部１２２及び切欠き部１２５と対向する位置以外の位置にあるときは、使用者は回動つまみ部３の前面からスライドピン１の前端が突出することを視認することができ、このとき、回動つまみ部３を押圧してもシャフト４０１は軸方向へ移動しないので、入力部２、出力部７及び増幅部８への電力の供給がオンされることを防止することができる。回動つまみ部３の凸部３０５が円筒部１２の凹部１２２及び切欠き部１２５と対向した位置にあるとき、使用者は回動つまみ部３の前面からスライドピン１の前端が突出しないことを視認することができる。したがって、使用者は、回動つまみ部３の前面からスライドピン１の前端が突出しないときのみ、回動つまみ部３を軸方向へ押圧することによって、入力部２、出力部７及び増幅部８への電源部１１からの電力の供給を、オン・オフすることが可能となる。
【００５２】
例えば、回動つまみ部３を回動させて回動つまみ部３の凸部３０５が円筒部１２の凹部１２２及び切欠き部１２５と対向する位置が、スイッチおよびボリウム部４の最大抵抗値となるように予め設定しておく。これにより、本実施例のオーディオ信号増幅装置６は、回動つまみ部３を回動させて、増幅部８から出力されたオーディオ信号の信号レベルが最小の信号レベルとなったときのみ電源部１１からの電力の供給を可能とし、回動つまみ部３の位置が前述した以外の位置のときは回動つまみ部３を押圧しても電源部１１からの電力の供給を禁止することができる。
【００５３】
本実施例のオーディオ信号増幅装置６は、回動つまみ部３の凸部３０５が円筒部１２の凹部１２２及び切欠き部１２５と対向する位置以外であって、回動つまみ部３を押圧してもシャフト４０１が軸方向へ移動しないときは、回動つまみ部３の前面からスライドピン１の先端が突出していることを視認できることにより、使用者に回動つまみ部３を押圧しても電源のオン・オフが行えないことを認識させることができる。また、本実施例のオーディオ信号増幅装置６は、回動つまみ部３の凸部３０５が凹部１２２及び切欠き部１２５と対向する位置であって、回動つまみ部３を押圧することによりシャフト４０１が軸方向へ移動可能であるときは、回動つまみ部３の前面からスライドピン１の先端が突出していないことを視認できることにより、使用者に回動つまみ部３を押圧することによって電源のオン・オフが行えることを認識させることができる。
【００５４】
この構成により、回動つまみ部３を押圧しても、シャフト４０１が軸方向に移動しないにも拘わらず、回動つまみ部３を押圧する押圧力が足りないのだと誤認識し、無理に高い押圧力で回動つまみ部３を押圧してしまい、回動つまみ部３を破壊してしまうことを防止することができる。
【００５５】
使用者は、回動つまみ部３を目視しなくても回動つまみ部３の前面からスライドピン１が突出しているか否かを指先で認識することができるので、例えば、オーディオ信号増幅装置６を暗闇で使用する場合や、他の装置の表示を見ながら回動つまみ部３を回動させる場合でも、電源のオン・オフが行えることを正確に認識することができる。
【００５６】
オーディオ信号増幅装置６によって、再生装置１０から出力されたオーディオ信号をスピーカ９へ出力している途中で、例えば、外部から電話が掛かってきた場合、オーディオ信号増幅装置６の電源を直ちにオフにし、それまでスピーカから出力されていたオーディオを緊急に停止させたい場合がある。このような場合、回動つまみ部３を回動させて、凸部３０５が凹部１２２及び切欠き部１２５と対向する位置となったときのみ電力の供給をオフとすることができる構成であると、凸部３０５が凹部１２２及び切欠き部１２５と対向する位置となるまで回動つまみ部３を回転させてからでないと、電源をオフすることができず、電源をオフするまでに時間を要してしまう。
【００５７】
しかしながら、本実施例のオーディオ信号増幅装置６は、凸部３０５が凹部１２２及び切欠き部１２５と対向しない位置である場合、回動つまみ部３の前面から突出しているスライドピン１を押圧することによって、オーディオ信号増幅装置６の電源をオフすることができる。このことにより、オーディオ信号増幅装置６によって、再生装置１０から出力されたオーディオ信号をスピーカ９へ出力している途中で、すぐにオーディオ信号増幅装置６の電源をオフにしたい場合でも、回動つまみ部３から突出したスライドピン１を押圧することにより、オーディオ信号増幅装置６の電源を直ちにオフすることができる。
【図面の簡単な説明】
【００５８】
【図１】本発明の電子機器の一実施例の構成を示すブロック図。
【図２】本発明の一実施例のオーディオ信号増幅装置の概略構成を示す斜視図。
【図３】本発明の一実施例のオーディオ信号増幅装置の回動つまみ部の構成を示す図であり、図３（ａ）は回動つまみ部の背面図、図３（ｂ）は図３（ａ）のＢ−Ｂ断面図。
【図４】本発明の一実施例のオーディオ信号増幅装置の円筒部の構成を示す図であり、図４（ａ）は正面図、図４（ｂ）は図４（ａ）のＣ−Ｃ断面図。
【図５】本発明の一実施例の回動つまみ部、スイッチおよびボリウム部、円筒部並びに固着部との組み付けを示す模式図で、図５（ａ）は正面図、図５（ｂ）は図５（ａ）のＤ−Ｄ断面図、図５（ｃ）は図５（ａ）及び図５（ｂ）の状態のときに回動つまみ部３を矢印Ａ方向へ押圧した状態を示す図。
【図６】図５に示す状態から回動つまみ部を回動し、凸部が円筒部の凹部及び切欠き部と対向しない位置とした状態を示す図で、図６（ａ）は正面図、図６（ｂ）は図６（ａ）のＤ−Ｄ断面図、図６（ｃ）は図６（ａ）及び図６（ｂ）の状態のときにスライドピン１を矢印Ｃ方向へ押圧した状態を示す図。
【図７】従来のオーディオ信号増幅装置の回動つまみとスイッチおよびボリウム部との組み付けを示す図で、図７（ａ）は正面図、図７（ｂ）は断面図。
【符号の説明】
【００５９】
１  スライドピン、１０１  凸部、１０２  突起、１０３  傾斜部、
２  入力部、３  回動つまみ部、３０１  シャフト圧入孔、３０３  貫通孔、
３０４  凹部、３０５  凸部、３０６  ノブ部、３０７  凹部、３０８  弾性体部、
４  スイッチおよびボリウム部、４０１  シャフト、
５  パネル、５０１  孔、６  オーディオ信号増幅装置、６０１  本体、
７  出力部、８  増幅部、９  スピーカ、１０  再生装置、１１  電源部、
１２  円筒部、１２１  孔、１２２  凹部、１２３  円盤部、１２４  孔、
１２５  切欠き部、１２６  弾性部、
１３  ストッパー部、１３１  孔、１４圧縮ばね、１５  固着部、１５１  孔、
３００  回動つまみ部
【図１】
2005276723.tif 000003
【図２】
2005276723.tif 000004
【図３】
2005276723.tif 000005
【図４】
2005276723.tif 000006
【図５】
2005276723.tif 000007
【図６】
2005276723.tif 000008
【図７】
2005276723.tif 000009